(57)【要約】【課題】機械式輸送システムの製造に関するロジスティックスを改善するためのコンピュータ支援による方法を提案する。【解決手段】エレベータ１０、エスカレータ、または動く歩道の構成部品１１から１９を供給する配送ユニット、および対応するコンピュータ支援による供給方法。この場合において、  パーツリスト２１を供給する工程と、  関連する組み立て情報２２を供給する工程と、  構成部品１１から１９を荷造りする工程とが実行され、構成要素１１から１９は、配送ユニットＵを形成するために、組み立て情報を考慮して梱包材によって荷造りされる。【選択図】図５Ａ
2006315862.tif 000002
【特許請求の範囲】
【請求項１】
エレベータ（１０）、エスカレータ、または動く歩道のための構成部品（１１から１９）を供給する、コンピュータ支援による供給方法であって、
特定のエレベータ（１０）、エスカレータ、または動く歩道に必要とされる構成部品（１１から１９）、ならびに前記構成部品の数の規定を含む、パーツリスト（２１）を供給する工程と、
前記エレベータ（１０）、エスカレータ、または動く歩道の、組み立てセクタ（ｘ１からｘ４）および／または組み立て工程（ｔ１からｔ５）についての詳細を含んでいる組み立て情報（２２）を供給する工程と、
パーツリスト（２１）に従って、構成部品（１１から１９）を特定しかつ供給する工程と、
前記構成部品（１１から１９）を、配送グループを形成するために組み立て情報（２２）を使用して組み合わせる工程とを含み、配送グループが、配送ユニット（Ｕ）を形成するために梱包材によって荷造される、方法。
【請求項２】
配送ユニット（Ｕ）が、読み取り可能であり、好ましくは機械で読み取り可能である、セクタ識別（Ｋ（ｘ））および／またはシーケンス識別（Ｋ（ｔ））を供給され、前記セクタおよび／またはシーケンス識別（Ｋ（ｘ）、Ｋ（ｔ））が、組み立て情報（２２）の項目に対応して、
配送ユニット（Ｕ）が輸送されるべき据え付け位置でのそれぞれの組み立てセクタ（ｘ１からｘ４）、および／または、
作業者が据え付け場所において段階を追って組み立て工程（ｔ１からｔ５）を実行できるようにする、組み立て工程（ｔ１からｔ５）のシーケンスを含むことを特徴とする、請求項１に記載の方法。
【請求項３】
供給される構成部品（１１から１９）の少なくとも一部が、パーツリスト（２１）および／または組み立て情報（２２）を使用して集められることを特徴とする、請求項１または２に記載の方法。
【請求項４】
前記セクタおよび／またはシーケンス識別（Ｋ（ｘ）、Ｋ（ｔ））が、コンピュータ（Ｃ）によって生成または処理されることを特徴とする、請求項１から３のいずれか一項に記載の方法。
【請求項５】
前記セクタおよび／またはシーケンス識別（Ｋ（ｘ）、Ｋ（ｔ））を、配送ユニット（Ｕ）に手作業または機械によって貼り付ける工程と、
配送ユニット（Ｕ）を据え付け場所へと輸送する工程と、
前記セクタおよび／またはシーケンス識別（Ｋ（ｘ）、Ｋ（ｔ））に基づいて、据え付け場所の領域にある異なる組み立てセクタ（ｘ１からｘ４）に配送ユニット（Ｕ）を分配する工程との１つ以上の工程を特徴とする、請求項１から４のいずれか一項に記載の方法。
【請求項６】
セクタ識別（Ｋ（ｘ））が存在し、配送ユニット（Ｕ）が、据え付け場所の組み立てセクタ（ｘ１からｘ４）へセクタ識別に基づいて輸送され、好ましくは構成部品（１１から１９）が、組み立てセクタ（ｘ１からｘ４）への到着後のみ、現場で梱包材から取り出されることを特徴とする、請求項１から５のいずれか一項に記載の方法。
【請求項７】
シーケンス識別（Ｋ（ｔ））が存在し、好ましくは構成部品（１１から１９）が、組み立てセクタ（ｘ１からｘ４）への到着後のみ、シーケンス識別（Ｋ（ｔ））を考慮して、現場で梱包材から取り出されることを特徴とする、請求項１から６のいずれか一項に記載の方法。
【請求項８】
電子コンピュータインタフェースによって、特定のエレベータ（１０）、エスカレータ、または動く歩道についてのオーダを受信するさらなる工程を特徴とし、該オーダの入力は、コンピュータがパーツリストおよび／または組み立て情報の準備に着手できるようにする情報を含む、請求項１から７のいずれか一項に記載の方法。
【請求項９】
パーツリストおよび／または組み立て情報を、コンピュータによって提供する工程と、
パーツリストおよび／または組み立て情報を、コンピュータのスクリーン上または印刷物に表示する工程とのうちの１つ以上の工程を含むことを特徴とする、請求項１から８のいずれか一項に記載の方法。
【請求項１０】
荷造りに先立って、
構成部品（１１から１９）の少なくとも一部の最適化された事前組み立てのための情報を呼び出す工程と、
引き続く荷造りにおいて、事前組み立てされた構成部品（１１から１９）も荷造りされるよう、構成部品（１１から１９）の前記一部の事前組み立てを行なう工程とが実行されることを特徴とする、請求項１から９のいずれか一項に記載の方法。
【請求項１１】
集める場合において、すべての必要な構成部品（１１から１９）が入手可能であるか否かを、コンピュータによって確認することを特徴とする、請求項１から１０のいずれか一項に記載の方法。
【請求項１２】
前記セクタおよび／またはシーケンス識別（Ｋ（ｘ）、Ｋ（ｔ））が、好ましくは人間によって読み取り可能なだけでなく、読み取り装置によって機械的にも読み取り可能であることを特徴とする、請求項１から１１のいずれか一項に記載の方法。
【請求項１３】
エレベータ（１０）、エスカレータ、または動く歩道のための構成部品（１１から１９）を含み、かつ指定を有している配送ユニット（Ｕ）であって、
配送ユニット（Ｕ）が、いくつかの構成部品（１１から１９）を含み、該構成部品（１１から１９）が、特定の組み立て工程（ｔ１からｔ５）に必要とされ、かつ／または特定の組み立てセクタ（ｘ１からｘ４）において使用され、
指定が、供給ユニットの輸送先である据え付け場所の組み立てセクタ（ｘ１からｘ４）についての情報を含んでいるセクタ識別（Ｋ（ｘ））、および／または組み立て工程（ｔ１からｔ４）についての情報を含んでいるシーケンス識別（Ｋ（ｔ））を含み、組み立て工程（ｔ１からｔ４）の間に、組み立て作業者が、据え付け場所において段階を追って組み立て工程（ｔ１からｔ４）を実行できるように、配送ユニットの構成部品（１１から１９）が使用されることを特徴とする、配送ユニット（Ｕ）。
【請求項１４】
構成部品（１１から１９）の少なくとも一部が、配送ユニット（Ｕ）に含まれる少なくとも１つの組み立てユニットまたは組み立てパケットを形成するために荷造りされることを特徴とする、請求項１３に記載の配送ユニット（Ｕ）。
【請求項１５】
識別（Ｋ（ｘ）、Ｋ（ｔ））が、読み取り可能であり、好ましくは機械によって読み取り可能であり、好ましくは識別（Ｋ（ｘ）、Ｋ（ｔ））が、人間によって読み取り可能なだけでなく、読み取り装置によって機械的にも読み取り可能であることを特徴とする、請求項１３または１４に記載の配送ユニット（Ｕ）。
【請求項１６】
識別（Ｋ（ｘ）、Ｋ（ｔ））が、接着、溶着、印刷、または押印によって、配送ユニット（Ｕ）の梱包材または構成部品（１１から１９）に、取り付けまたは貼り付けられることを特徴とする、請求項１３から１５のいずれか一項に記載の配送ユニット（Ｕ）。
【請求項１７】
識別（Ｋ（ｘ）、Ｋ（ｔ））が、組み立て指示への参照を含み、あるいは読み取り装置で識別を読むことによって、来たる組み立て工程に関する情報が、画面または印刷物に提示されることを特徴とする、請求項１３から１６のいずれか一項に記載の配送ユニット（Ｕ）。
【発明の詳細な説明】
【技術分野】
【０００１】
本発明は、請求項１に記載のエレベータ、エスカレータ、および動く歩道のための構成部品を供給するコンピュータ支援による供給方法、ならびに請求項１３に記載の配送ユニットに関する。
【背景技術】
【０００２】
システムまたはシステムの構成要素の製造、組み立て、梱包、および配送において、きわめて多種多様なシーケンスが使用されるようになってきている。特に、例えば材料および人々の輸送のために構成された、エレベータ、エスカレータ、または動く歩道など複雑なシステムの場合には、一方ではシステム自体がきわめて複雑でありながら、他方では組み立て時の作業者の安全性、ならびに製造または建設されるシステムに対し、きわめて高い要求が求められるため、作業者の適格性に対する要求がきわめて大きい。
【０００３】
これは、余り慣れていない作業者で組み立てを行なわなければならない場合、または好ましくない外部環境のもとで行なわなければならない場合に、特に問題となりうる。
【０００４】
さらに、このような設備を可能な限り迅速かつ経済的に供給および組み立てするという要請が、ますます強くなってきている。
【０００５】
汎用のプロセス制御の分野において、顧客指向のサブアセンブリの構成を可能にする方法が知られている。例えば、米国特許出願公開第２００４／０１７６８６７号明細書に示されている方法において、取り次ぎを必要とする顧客指定の部品がオーダされ、収集地点へと配送され、収集地点から仕上げ場所へと、必要な組み立て指示書と共に発送される。仕上げ場所において、今や個々の部品が完成（組み立て）され、全体パッケージとして顧客へと配送される。
【０００６】
この点について、或るオーダに係るすべての部品が、まとめて仕上げ場所に供給され、仕上げ場所の従業員が、例えばサブアセンブリに属する部品を、組み立て指示に基づいて自ら仕分けをして、それら部品を正しい組み立てシーケンスにする点が、不都合である。これは、時間を要する。
【特許文献１】米国特許出願公開第２００４／０１７６８６７号明細書
【発明の開示】
【発明が解決しようとする課題】
【０００７】
したがって、本発明の目的は、機械式輸送システムの製造に関するロジスティックスを改善するためのコンピュータ支援による方法を提供し、それによって、上述の不都合を回避し、製造業者または供給業者による供給のみならず、顧客への配送も簡略化し、かつ合理的かつ安全な組み立てのための基盤を構成し、ならびに上記方法を実行するのに適した指定を有している、輸送システムの構成部品の配送ユニットを生成する。
【課題を解決するための手段】
【０００８】
本発明によれば、この目的が、方法の場合には独立請求項１の特徴によって、および配送ユニットの場合には独立請求項１３の特徴によって、達成される。
【０００９】
本発明の好ましい展開は、それぞれの従属請求項によって概説されている。
【００１０】
本明細書の範囲においては、「輸送システム」という用語は、特に、物品および／または人間のためのエレベータ、ならびにエスカレータ、および動く歩道であると理解される。「配送ユニット」という用語は、可能な包装材を含めて、輸送システムの個々の構成部品、あるいはパッケージまたはパケットに含まれる複数の構成部品であると理解され、そのような配送ユニットは、帳簿に関して規定される配送ユニットと同一である必要はない。
【００１１】
輸送システムは、多数の個々の構成部品またはサブアセンブリで構成される。輸送システムに必要な構成部品またはサブアセンブリが、パーツリストに含まれている。したがってパーツリストは、通常は、エレベータまたはエレベータ設備あるいは輸送システムを組み立てるための構成部品またはサブアセンブリ、ならびにそれらの必要数のリストである。
【００１２】
輸送システムは、建物に一体化される。輸送システムは、個々の構成部品またはサブアセンブリの状態で建物へと配送され、そこで運搬システムへと組み立てられる。したがって、建物が、輸送システムが最終的に組み立てられる据え付け場所である。据え付け場所は、種々の組み立てセクタを有している。組み立てセクタは、据え付け場所の部分領域である。据え付け場所は、複数の組み立てセクタを有している。したがって、例えばエレベータの各レベルが、組み立てセクタを形成しており、あるいはエレベータ昇降路の階、エレベータ昇降路の天井、または制御室などが、それぞれ独自の組み立てセクタを形成することができる。
【００１３】
輸送システムの組み立ては、いくつかの個々の組み立て工程を含んでいる。組み立て工程は、全体の組み立てシーケンス内の個々の組み立て作業を表している。
【００１４】
輸送システムの構成部品は、全体が１つの製造業者によって製造されるか、あるいは個々の構成部品または事前に組み立てられたサブアセンブリが、別々の製造業者で製造される。さらに、ユーザまたは据え付け場所への配送を、様々なやり方で行なうことができ、各製造業者が、その構成部品またはサブアセンブリを直接建設現場へ配送するか、あるいは構成部品およびサブアセンブリが、主たる製造業者のもとに収集され、任意の部分組み立てプロセスの後に、そこからユーザまたは据え付け場所へと配送される。いずれの場合も、まずは構成部品が集められ、すなわち製造後にパーツリストを使用して特定されかつ準備される。これは、例えば、構成部品の保守容易性を確認すること、構成部品を仮にまたは最終的に予約すること、構成部品を呼び出すこと、またはいくつかの構成部品を組み合わせて、組み立てに適切なサブアセンブリを形成することを含んでいる。パーツリストは、必要なすべての構成部品が、意図された数で存在しているか否かを確実に確認する上で役に立つ。
【００１５】
続いて、構成部品が、組み立てデータを考慮して、場所および／または時期に関してそれら部品の後の使用に応じて、配送グループに組み合わせられ、かつ特定の梱包材を使用して配送ユニットに荷造りされる。配送ユニットは、組み立てパケットをただ１つ含んでもよく、この場合、配送ユニットの梱包材が同時に、組み立てパケットの梱包材を形成する。配送ユニットが、２つ以上の組み立てパケットを含んでもよく、この場合には、内部に或る程度、組み立てパケットを荷造りするため追加の梱包材を使用することができる。組み立てパケットは、好ましくは組み立てシーケンスに共に属する構成部品またはサブアセンブリを含んでいる。荷造りの場合において、構成部品は、剛性または柔軟である面積梱包材によって部分的または完全に包まれ、この梱包材は、必要な場合には、さらに特に十分に保護され、および／または適切な細長い梱包材によって組み合わされ、および／またはカートンおよびコンテナなどの適切な容器に入れられる。その場合、配送ユニットが、構成部品から作られる。
【００１６】
パーツリストによって特定された構成部品の組み合わせ（まとめ置き）および荷造りは、この点について、所定の組み立て情報の考慮に関連して、すなわち特定の組み立て基準に従って行なわれる。したがって、正しい設置場所および正しい組み立てセクタへの配送が保証され、後の据え付け場所の内部輸送が避けられ、かつ組み立て工程自体が簡略化される。組み立て情報は、各オーダに従って供給され、手作業で生成および準備されることができ、あるいはコンピュータによって生成および準備されることができる。組み立て情報は、搬送システムの実施の形態、ならびに例えば、階の数およびアクセス性、組み立て領域、建設の進捗など、据え付けの局所的状況を考慮している。組み立て情報は、好ましくは、コンピュータが、オーダ入力を記録した後に、コンピュータによって準備される。オーダ入力は、典型的には、必要な構成部品を特定するため、ならびにそれらの組み立ておよび組み立て工程についての記述を提供可能にするために必要な、すべての事項を含んでいる。オーダ入力は、顧客または建築家の要求に基づいて販売業者によって記録された、必要な顧客データを含んでいる。組み立てデータは、エレベータ建設業者によってそれらの基本的枠組みで予め定められており、オーダ入力および／または建設の進捗に適切に合わせられる。
【００１７】
組み立て情報は、組み立てセクタについての情報および／または組み立て工程についての情報を含む。組み立てセクタに、配送ユニットおよび場合によっては組み立てパケットが輸送され、組み立てセクタで、これらは後の組み立てのために必要であり、組み立て工程は、特定の時間シーケンスにおいて特定の組み立てセクタで、場合によっては、据え付け場所の他の組み立てセクタの組み立て工程または組み立て状態を考慮して行なわれる。
【００１８】
組み立て情報は、好ましくは、エレベータ、エスカレータ、または動く歩道を設置しようとする建物内、または建設場所の条件を考慮して、生成および準備される。組み立て情報は、好ましくは同様に、建物または建物の部分に据え付けされるエレベータの数を考慮に入れている。
【００１９】
次いで、組み立て情報を考慮して、組み立てセクタ識別および／または組み立て工程識別が、各配送ユニットについて生成される。
【００２０】
各セクタ識別は、配送ユニットが輸送されるべき据え付け場所の各組み立てセクタについての情報を含んでいる。セクタ識別は、例えば建築現場などの据え付け場所の責任作業者が、各配送ユニットを正しい組み立てセクタへと届けることができるようにする。
【００２１】
各組み立て工程識別は、組み立て工程のシーケンスについての情報を含んでいる。組み立て工程識別は、責任作業者が、据え付け場所または組み立てセクタにおいて、正しいシーケンスで段階を追って組み立て工程を容易に実行できるようにする。
【００２２】
各配送ユニットに、当該配送ユニットに属する識別が供給され、大きくおよび／または重い配送ユニットは、複数の場所に識別が提供されることも可能である。識別は、通常は梱包材上にまたは梱包材に取り付けられるが、構成部品のみが、束ねられてパッケージ状の配送ユニットを形成している場合や、場合によっては、構成部品が開放型のコンテナに収容されている場合には、識別が、構成部品自体のうちの１つに取り付けてもよい。識別を貼り付ける場合には、従来の種類の情報、例えば「上面」または「下面」など配送ユニットまたは組み立てパケットにおける貼り付け位置、重量の詳細、ならびに配送ユニットまたは組み立てパケットについて他の重量物の下での保管の禁止、あるいは特定の温度および湿度範囲の外での保管の禁止、または強い電磁界の近傍での保管の禁止などの情報も、必要であれば表示することができる。
【００２３】
上記識別は、専門家によって理解することができる、文字および数字の組み合わせで表示でき、あるいは暗号で表示でき、あるいは絵文字またはバーコードで表示できる。当然ながら、識別は、理解可能または読み取り可能でなければならず、実際、それらの後の使用に関し、好ましくは機械によって読み取り可能であり、あるいは機械によってのみ読み取り可能である。ＲＦタグを識別として使用してもよい。
【００２４】
識別の生成の後、識別は、手作業または機械によって配送ユニットに貼り付けられ、特に、配送ユニットの梱包材にまたは梱包材上に貼り付けられ、あるいは構成部品の一部が見えるために開かれている場合には、構成部品自体へと貼り付けられる。
【００２５】
配送ユニットが、複数の組み立てパケットを含んでいる場合、通常は、組み立て工程識別である識別が、個々の組み立てパケットについて生成され、それら組み立てパケット上または組み立てパケットに直接貼り付けられてもよい。
【００２６】
次いで、識別が供給されて完成した配送ユニットが、製造業者によって配送され、据え付け場所へと輸送される。配送される代わりに、それら配送ユニットを集められてもよい。
【００２７】
据え付け場所において、配送ユニットが、異なる組み立てセクタへと分配される。これは、配送ユニットがセクタ識別を有しているならば、きわめて簡単である。配送ユニットが、組み立て工程識別しか有していない場合には、この配送ユニットを正しい組み立てセクタへと供給するために、作業者の特定の専門知識および／または例えばチャート上の別個の補足事項が必要である。配送ユニットが、セクタ識別に基づいて正しい組み立てセクタに到着したが、それら配送ユニットが、組み立て工程識別を有していない場合には、組み立てのシーケンスを、特定の専門知識の助けによって、および／または追加の詳細の助けによって、実行されなければならない。当然ながら、この新規な方法の実行は、配送ユニットがセクタ識別だけでなく、組み立て工程識別をも有している場合に、きわめて簡単である。
【００２８】
好ましくは、この新規な方法は、入ってくるオーダの処理へとさらに拡張される。この目的のため、構成部品を集める前に、エレベータについてのオーダの入力が、コンピュータの電子インターフェイスによって受信され、オーダ入力が、コンピュータがどの種類のエレベータがオーダされたのか、およびどの種類のエレベータを配送されるべきかを決定できるようにする情報を含んでいる。
【００２９】
この新規な方法は、好ましくは、配送されるべきシステムの構成部品のリストが、コンピュータの助けによって準備される方法工程、および／またはこのリストが、例えばコンピュータのモニタ上および／または印刷物に表示される方法工程を含んでいる。
【００３０】
この方法に、個々の構成部品をそれらの保管ステーションから事前組み立てまたは発送ステーションに運ぶ、内部の輸送システムを組み入れることが可能である。
【００３１】
識別は、様々なやり方で生成されることができるが、人的な誤りの可能性を排除または低減するため、コンピュータによって支援されたやり方で識別を生成することが特に有利でありかつ推奨される。
【００３２】
組み立てを簡単にするため、集める範囲内で、サブアセンブリを形成するために製造業者または製造業者の１つにおける事前組み立てによって、特定の構成部品を一体化し、すなわち事前組み立てすることができる。この目的のため、荷造りに先立って、構成部品の少なくとも一部の最適な事前組み立てまたは少なくともサブアセンブリに関する情報が、好ましくは呼び出して使用されることができ、このサブアセンブリが組み立てられることができる。次いで、荷造りの場合において、個々の構成部品だけでなく、サブアセンブリを形成するために事前組み立てされた構成部品も、荷造りされる。
【００３３】
オーダの入力または処理の後に、すべての構成部品が存在するか否か、短期間で製造できるか否か、あるいは下請け業者から迅速に呼び集めることができるか否かが、コンピュータの助けによって確認されるなら、時間の節約になることが分かっている。これらの工程は、集合と称される作業工程の一部とみなすことができる。このやり方で、構成部品の在庫管理のシーケンスとオーダの入力からの構成部品の集合とがリンクされる。
【００３４】
個々の構成部品またはサブアセンブリを形成するために事前組み立てされた構成部品が、据え付け場所または組み立てセクタにおいて損傷および紛失することがないよう、組み立てセクタに到着した後でのみ、組み立て工程識別を考慮して使用の直前に、構成部品を梱包材から取り出すと、有利である。
【００３５】
識別は、好ましくは人間によって直接読み取りできるだけでなく、読み取り装置の助けによって機械で読み取り可能であり、あるいは機械的に検出可能であるよう、構成されるべきである。
【００３６】
以下では、本発明のさらなる詳細および利点を、添付の図面を参照して例として説明する。
【発明を実施するための最良の形態】
【００３７】
図１には、輸送システム１０としてエレベータが示されており、実質的に以下の構成要素、すなわち負荷支持体１２を形成する床を備えたエレベータケージ１１、ケージ扉システム１３、釣り合いおもり１４、駆動システム１５、エレベータケージ１１または釣り合いおもり１４のための案内レール１６、昇降路扉１７、制御システム１９、および昇降路材料１８を有している。図１から、輸送システム１０の全体組み立てが、特に、機械の組み立てに比べて実質的に複雑であることが明らかである。なぜなら、個々の部品が、異なる組み立てセクタまたは別々の階にて必要とされ、それら部品を適切な階へと輸送するためのエレベータ設備が存在しておらず、あるいは個々の部品が、そのようなエレベータ設備にとって大きすぎるからである。組み立て時間を短縮するため、建物の複数のエレベータが、同時に組み立てられることがしばしばであり、さらに一方では機能上の理由から、他方では安全上の理由から、個々の組み立て工程を正確な時間におけるシーケンスで実行しなければならないことから、全体の組み立てがさらに複雑なものとなる。
【００３８】
図２は、本発明の基本的考え方、および本発明の３つの変形Ａ、Ｂ、Ｃを明らかにしている。
【００３９】
局所軸ｘが、図２において垂直方向に示されている。局所軸ｘは、長さを比例尺で記述していると理解すべきではない。エレベータの場合には、局所軸ｘは、建設の実際の垂直軸に実質的に一致することができる。斜めまたは水平な輸送手段の場合、あるいは建物の同じ部分に配置された複数のエレベータを使用する場合、これらに対する局所軸ｘは、特定の場所の近傍に位置する組み立てセクタにおおむね対応し、この例では、４つの組み立てセクタｘ１、ｘ２、ｘ３、およびｘ４が示されている。１つ以上の配送ユニットＵが、各組み立てセクタｘ１、ｘ２、ｘ３、およびｘ４に関連付けられている。配送ユニットＵは、それらの輸送先であるそれぞれの組み立てセクタの指定によって、索引が付されている。配送ユニットＵｘ１からＵｘ４の構成部品が、組み立てセクタｘ１からｘ４における組み立ての場合に必要とされる。
【００４０】
図２には、さらに時間軸ｔが水平方向に示されており、この時間軸ｔで、組み立て工程のシーケンスが明らかである。時間軸ｔまたは時間軸ｔに沿って示されている組み立て工程は、比例尺であると理解すべきではない。この例では、５つの組み立て工程ｔ１、ｔ２、ｔ３、ｔ４、およびｔ５が示されており、各組み立て工程に対して、１つ以上の配送ユニットＵが供給される。配送ユニットＵは、それらの組み立て工程の実行が意図される各組み立て工程の指定によって、索引が付されている。配送ユニットＵｔ１の構成部品が、組み立て工程ｔ１の実行に使用され、同様に配送ユニットＵｔ２からＵｔ５の構成部品が、組み立て工程ｔ２からｔ５の実行に必要とされる。
【００４１】
すでに述べたように、この新規な方法を実行するために、３つの変形Ａ、Ｂ、およびＣが可能である。
【００４２】
変形Ａにおいては、配送ユニットＵが、セクタ識別Ｋ（ｘ）を有しており、これによって各配送ユニットＵを、正しい組み立てセクタへと輸送することが可能である。組み立て工程を実行するために、専門知識および／または追加の組み立て情報が、場合によってはセクタ識別Ｋ（ｘ）との組み合わせで、必要とされる。
【００４３】
変形Ｂにおいては、配送ユニットＵが、組み立て工程識別Ｋ（ｔ）のみを有しており、これにより、それぞれの組み立て工程に従って配送ユニットＵから構成部品を取り出すことが可能である。配送ユニットＵを正しい組み立てセクタへと配送するために、専門知識および／または追加の組み立て情報が、場合によっては組み立て工程識別との組み合わせにおいて、必要とされる。
【００４４】
最適であると称することができる変形Ｃにおいては、配送ユニットＵが、セクタ識別Ｋ（ｘ）だけでなく、組み立て工程識別Ｋ（ｔ）も有しており、したがって変形ＡおよびＢの利点が、組み合わされて使用される。変形Ｃのための配送ユニットＵは、図２において、それぞれの組み立てセクタまたはそれぞれの組み立て工程の指定によって、索引が付されている。建物の各部の複数のエレベータが、同じ時間セグメントにおいて据え付けされる場合、識別は、好ましくは全体の据え付けの最適化へと指向される。すなわち、例えば、複数のエレベータの釣り合いおもり１４を、複数の連続する組み立て工程を含むことができる特定の組み立てセクションに取り付けることができる。
【００４５】
図３は、この場合には図１に示したエレベータについての、輸送システム１０の構成部品が収容される、配送ユニットＵを示している。構成部品は、集合された後に、配送ユニットＵを形成するために、適切な特定の梱包材によって荷造りされる。この例の配送ユニットＵは、多くの場合と同様、パレット３０上に配置され、あるいはパレット３０を含んでいる。
【００４６】
梱包材を囲むまたは梱包材を囲むことなく構成部品をまとめるため、テープ、綱、ワイヤなどに加えて、構成部品を完全または部分的に囲む問題となる梱包材として、例えば紙、プラスチックフィルム、ダンボール、木材、およびポリスチレンである。各配送ユニットに、少なくとも１つの識別Ｋ（ｘ）および／またはＫ（ｔ）が供給されることが必須である。
【００４７】
さらに、配送ユニットＵは、特別な工具または検査装置を含むことができ、特にそれぞれの配送ユニットに配置された構成部品の組み立てにのみ必要とされる、特別な工具および特別な検査装置を含むことができる。
【００４８】
図４は、この例では識別Ｋ（ｘ）、Ｋ（ｔ）が貼り付けられているラベル４０を示している。しかしながら、識別Ｋ（ｘ）およびＫ（ｔ）を、梱包材に直接貼り付けてもよく、あるいは場合によっては、構成部品自体に貼り付けてもよい。識別Ｋ（ｘ）および識別子Ｋ（ｔ）を、同じラベル、あるいは梱包材または構成部品の項目の同じ指定領域に貼り付けることができ、あるいは別個のラベルまたは別個の指定領域が、それぞれの識別のために供給されてもよい。共通のラベルまたは共通の指定領域の場合には、識別Ｋ（ｘ）およびＫ（ｔ）のための別個の識別フィールドが供給される。
【００４９】
さらに、ラベルまたは指定領域は、さらなる詳細を入力することができるさらなる領域を含むことができる。さらに、ラベルが、例えば在庫管理、配送、または帳簿管理に関する確認に関連して使用できる、空白の領域を含んでもよい。
【００５０】
識別Ｋ（ｘ）、Ｋ（ｔ）は、きわめて多種多様なやり方で構成されることができる。それら識別は、理解可能または読み取り可能でなければならず、好ましくは機械で読み取り可能であり、あるいは機械でのみ読み取り可能である。平文または暗号化詳細および略記による文字の組み合わせまたは数字の組み合わせ、特には絵文字などの絵による表示、バーコードが、特に問題になる。さらに、様々に色付けされた識別を含ませることが可能であり、あるいはＲＦタグを使用することが可能である。
【００５１】
識別Ｋ（ｘ）、Ｋ（ｔ）は、ラベル４０に、あるいは配送ユニットＵの梱包材または構成部品に直接、接着剤、溶着、印刷、または押印によって、取り付けることができ、あるいは貼り付けることができる。
【００５２】
配送ユニットＵは、すでに述べたように、構成部品１１から１９または複数の構成部品を含んでいる。場合によっては、構成部品１１から１９の少なくとも一部を、配送ユニットＵに含まれる少なくとも１つの組み立てユニットまたは組み立てパケットを形成するため、事前に荷造りされることができる。
【００５３】
配送ユニットへと貼り付けられた識別Ｋ（ｘ）、Ｋ（ｔ）は、読み取り可能であり、好ましくは機械で読み取り可能である。識別Ｋ（ｘ）、Ｋ（ｔ）は、好ましくは、人間によって読み取ることができるだけでなく、読み取り装置によって機械的に読み取ることができるように形成される。
【００５４】
識別Ｋ（ｔ）が、組み立て指示への参照を含んでおり、あるいは読み取り装置による識別の読み取りによって、来たる組み立て工程についての情報が、映像画面または印刷物に示されると、トラブルなしの組み立てシーケンスのために、特に有利である。
【００５５】
図５Ａおよび図５Ｂは、以下の工程を有するこの新規な方法のシーケンスを、図式的に示している。
【００５６】
オーダされるシステムが、コンピュータＤによって規定または構成される。この工程は、任意である。これは、例えば、新たな建物を計画する建築家によって実行されることができ、あるいは既存のシステムの改造または取り外しに関することができる。この顧客の希望が、販売者または顧客によるオーダ入力に直接定められる。
【００５７】
この工程が完了した後、オーダを、例えば標準化されたＥＤＩオーダの形態で、あるいは別のやり方で、システムの生産者へと通信することができる。図５Ａにおいては、この通信が、ネットワーク２０によってコンピュータＥへと行なわれる例が示されている。これらの工程を、示されているとおり、例えば慣習的なやり方（ｆｏｒｍｕｌａｅ）によって、従来からのルートで行なうことも可能である。
【００５８】
次いで、パーツリスト２１および関連する組み立て情報２２を、コンピュータＥによって用意することができる。これは、特に好ましい方法においては、すべての必要なパラメータおよび他の事項を、到来する情報（オーダ）またはコンピュータへと入力された情報から抽出することで、行なわれる。次いで、パーツリスト２１および／または組み立て情報２１が、これらパラメータおよび事項に基づいて決定される。その場合、純粋な管理上のパラメータおよび詳細は別として、本発明の目的のために、例えば建物部分のエレベータの数、駆動装置の種類、積載量、人間の数、公称速度、停止の数、入口の数、入口の位置、エンジンルームが上方であるか、下方であるか、あるいはエンジンルームが存在しないか、ケーブルガイドの種類、昇降路の平面図および立面図、停止点の距離、ケージの種類など、主要な技術的マグニチュード（ｍａｇｎｉｔｕｄｅｓ）が使用される。パーツリストは、通常、エレベータまたはエレベータ設備を組み立てるための構成部品またはサブアセンブリ、ならびにそれらの必要数のリストである。パーツリストは、例えば、例を１つだけ挙げるならば、構成部品の指定または特定、ならびに例えば長さ２．５ｍまたは５ｍの案内レールがいくつ必要であるかを示す部品のリストを含んでいる。
【００５９】
組み立て情報２２は、組み立てセクタｘ１からｘ４、および／または組み立て工程ｔ１からｔ５についての詳細を含んでいる。好ましくは、これらの事項の提供および適切な適合が可能になるよう、コンピュータＥが、データベースおよび／または知識ベースにアクセスする。組み立て情報２２およびパーツリスト２１の提供のため、好ましくは、取り次ぎ入力またはオーダ入力から推察できる詳細が使用される。データベースおよび／または知識ベースは、例えば、エレベータ建設業者によって前もって決定された基本的枠組みを含んでおり、これが、オーダ入力で文書化された顧客の希望にあわせて、適切に適合される。
【００６０】
部品リスト２１および組み立て情報２２のどちらも、紙形式で存在する必要がない点に、留意されたい。情報の再現または提供について、他の形態もあり得る。
【００６１】
供給されるべきシステムの構成要素１１から１９が、最初に集められる。この工程が、図５Ａの下部に概略的に示されている。システムに必要な構成部品が、パーツリスト２１に基づいて特定される。次いで、それら構成部品が、在庫されているか否か（図５Ａにおいては、保管場所が保管棚２３の形態で示されている）、あるいは構成部品が、供給業者によって供給されるべきものであるか否かが確認される。すべての構成部品が存在するとすぐに、それらが準備される。この準備は、必ずしも構成部品を棚から取り出すことを意味するわけではない。準備は、論理的な準備であってよい。これが、図５Ａにおいて一番下に示されており、構成部品１１から１９が列に並べられている。
【００６２】
コンピュータＣ（コンピュータＥと同一であってよく、あるいはコンピュータＥに接続されていてもよい）が、組み立て情報を準備する。これが、図５Ｂに複数の矢印２４で示されている。組み立て情報自体は、マグニチュードｘ１、ｔ１などの関数ｆとして示されている。
【００６３】
組み立て情報に従い、パーツリスト２１によって特定された構成部品１１から１９が、グループに組み合わされ、その場合に、組み立てセクタおよび組み立て工程が考慮される。集合段階は、この工程によって完了する。
【００６４】
続いて、これらグループに適切な梱包材が供給され、各グループから配送ユニットＵがもたらされる。図５Ｂにおいては、これらの配送ユニットが、四角い箱の形態で簡略化して示されている。
【００６５】
次いで、セクタ識別Ｋ（ｘ）および／または組み立て工程識別Ｋ（ｔ）が、コンピュータＣの情報によって、各配送ユニットについて同様に生成または準備される。このプロセスが、図５Ｂに矢印２５で示されている。これらの識別Ｋ（ｘ）、Ｋ（ｔ）が、矢印２６によって示されているとおり配送ユニットＵに貼り付けられる。このようにして識別された配送ユニットＵが、今や供給される。次いでこれらが、収集され、保管され、あるいは配送されることができる。
【００６６】
このようにして識別された配送ユニットＵが、引き続いて、あるいは後に、設置位置へと運ばれ、そこでセクタ識別Ｋ（ｘ）に基づいて、組み立てセクタｘ１、ｘ２へと運ばれる。組み立て工程識別Ｋ（ｔ）に従い、構成部品を梱包材から取り出すことができる。
【００６７】
最後の２つの工程は任意である。それらは、図５Ｂにおいて、図の下方の部分に概略的に示されている。
【００６８】
さらなる任意の工程が、図５Ｂに示されている。組み立て情報または他の情報を、コンピュータＣによって組立作業者へと伝えることができる。これは、例えば、情報を携帯型のコンピュータ（ＰＤＡ）に再度記録することで、行なうことができる。
【００６９】
以上説明した方法を変更でき、それぞれの詳細を適合できることは、明らかである。それぞれのシーケンスの自動化程度に応じて、この方法のより多数のまたはより少数の工程を、コンピュータに支援されたやり方で実行することができる。１つのコンピュータ、または接続された複数のコンピュータを、使用することができる。
【図面の簡単な説明】
【００７０】
【図１】エレベータの形態である組み立て済みの輸送システムを、簡略化した図で示している。
【図２】本発明の原理を、概略的に示している。
【図３】図１に示した輸送システムの構成部品を簡略化して示しており、いずれの場合も、１つ以上の構成部品が配送ユニットに含まれている。
【図４】配送ユニットに貼り付けられる識別の例を、正面図で示している。
【図５Ａ】本発明による方法のシーケンスを、図式的に示している。
【図５Ｂ】本発明による方法のシーケンスを、図式的に示している。
【符号の説明】
【００７１】
１０  輸送システム
１１  エレベータケージ
１２  負荷支持体
１３  ケージ扉システム
１４  釣り合いおもり
１５  駆動システム
１６  案内レール
１７  昇降路扉
１８  昇降路材料
１９  制御システム
２０  ネットワーク
２１  パーツリスト
２２  組み立て情報
２３  保管棚
３０  パレット
４０  ラベル
【図１】
2006315862.tif 000003
【図２】
2006315862.tif 000004
【図３】
2006315862.tif 000005
【図４】
2006315862.tif 000006
【図５Ａ】
2006315862.tif 000007
【図５Ｂ】
2006315862.tif 000008
【外国語明細書】
2006315862.tif 000009
2006315862.tif 000010
2006315862.tif 000011
2006315862.tif 000012
2006315862.tif 000013
2006315862.tif 000014
2006315862.tif 000015
2006315862.tif 000016
2006315862.tif 000017
2006315862.tif 000018
2006315862.tif 000019
2006315862.tif 000020
2006315862.tif 000021
2006315862.tif 000022
2006315862.tif 000023
2006315862.tif 000024
2006315862.tif 000025
2006315862.tif 000026
2006315862.tif 000027
2006315862.tif 000028
2006315862.tif 000029
2006315862.tif 000030
2006315862.tif 000031
2006315862.tif 000032